(57)【特許請求の範囲】
【請求項１】
家屋の天井に設置される本体枠と、
前記本体枠の内部に設けられ、前記本体枠の内部の吸気室および吸気室の上方に位置するファン収納室を相互に接続する通風路と、
前記ファン収納室内に設けられ、前記家屋の内部の空気を前記吸気室および前記通風路を順に通して前記ファン収納室から排出するファン機構と、
前記通風路の内部に水平な全閉状態および垂直な全開状態相互間で回動可能に設けられたダンパと前記ダンパを全閉状態および全開状態相互間で回動操作するダンパモータを有するダンパ機構と、
前記吸気室の内圧を検出する第１の圧力センサと、前記通風路の内圧を検出する第２の圧力センサと、前記第１の圧力センサの検出結果および前記第２の圧力センサの検出結果の差圧に応じた電圧レベルの差圧信号を出力する演算回路と、初期差圧信号および初期差圧信号の許容値が記録された記憶手段とを有し、前記ファン機構および前記ダンパ機構のそれぞれを駆動制御する制御装置を備え、
前記制御装置は、前記ダンパを全開し且つ前記ファン機構をオンした状態で前記演算回路から出力される差圧信号が所定値以下である場合には、
前記ファン機構をオフし且つ前記ダンパを全閉した状態で前記演算回路から出力される差圧信号を検出し、
検出された差圧信号と前記記憶手段に記憶された初期差圧信号および許容値との加算値とを比較し、検出された差圧信号が初期差圧信号および許容値との加算値以下であるときには検出された差圧信号を記憶し以後前記演算回路から出力される差圧信号と記憶された差圧信号との比較結果に応じてファン機構の回転数を制御し、検出された差圧信号が初期差圧信号と許容値の加算値より大きいときには以後前記演算回路から出力される差圧信号と前記初期差圧信号の比較結果に応じてファン機構の回転数を制御する
ことを特徴とする通風装置。
【請求項２】
前記制御装置は、
テストモードが設定されているときには前記ファン機構のオン状態で前記ダンパを全閉し、
前記ファン機構のオン状態で前記ダンパを全閉したときに前記演算回路から出力される差圧信号と前記ファン機構のオン状態で前記ダンパを全開したときに前記演算回路から出力される差圧信号との差を予め記憶された判定値と比較することに基づいて異常の有無を検出することを特徴とする請求項１に記載の通風装置。
【発明の詳細な説明】
【０００１】
【発明の属する技術分野】
本発明は、本体枠内を流通する風量を検出する風量検出手段を備えた通風装置に関する。
【０００２】
【発明が解決しようとする課題】
例えば換気扇には、本体枠内にファン機構を配設し、室内の空気を本体枠の内部を通して屋外へ排出する構成のものがある。この構成の場合、本体枠内の風量を差圧センサ等の風量検出手段により検出し、風量検出手段の出力信号に基づいてファン機構の回転速度を制御することに伴い排気量を調節している。
【０００３】
上記換気扇の場合、風量検出手段が周囲温度の影響を受け、風量検出手段の出力信号に誤差が生じる。このため、温度センサの出力信号に基づいて風量検出手段の出力信号を補正しているが、温度センサの特性にばらつきがあるので、風量検出手段の出力信号が正確に補正されない虞れがある。しかも、風量検出手段が経年変化した場合には、風量検出手段の出力信号を補正できない。
【０００４】
本発明は上記事情に鑑みてなされたものであり、その目的は、風量検出手段の周囲温度および経年変化による影響を抑え、風量を正確に検出できる通風装置を提供することにある。
【０００５】
【課題を解決するための手段】
請求項１に記載の通風装置は、家屋の天井に設置される本体枠と、前記本体枠の内部に設けられ前記本体枠の内部の吸気室および吸気室の上方に位置するファン収納室を相互に接続する通風路と、前記ファン収納室内に設けられ前記家屋の内部の空気を前記吸気室および前記通風路を順に通して前記ファン収納室から排出するファン機構と、前記通風路の内部に水平な全閉状態および垂直な全開状態相互間で回動可能に設けられたダンパと前記ダンパを全閉状態および全開状態相互間で回動操作するダンパモータを有するダンパ機構と、前記吸気室の内圧を検出する第１の圧力センサと前記通風路の内圧を検出する第２の圧力センサと前記第１の圧力センサの検出結果および前記第２の圧力センサの検出結果の差圧に応じた電圧レベルの差圧信号を出力する演算回路と初期差圧信号および初期差圧信号の許容値が記録された記憶手段とを有し前記ファン機構および前記ダンパ機構のそれぞれを駆動制御する制御装置を備え、前記制御装置は、前記ダンパを全開し且つ前記ファン機構をオンした状態で前記演算回路から出力される差圧信号が所定値以下である場合には、前記ファン機構をオフし且つ前記ダンパを全閉した状態で前記演算回路から出力される差圧信号を検出し、検出された差圧信号と前記記憶手段に記憶された初期差圧信号および許容値との加算値とを比較し、検出された差圧信号が初期差圧信号および許容値との加算値以下であるときには検出された差圧信号を記憶し以後前記演算回路から出力される差圧信号と記憶された差圧信号との比較結果に応じてファン機構の回転数を制御し、検出された差圧信号が初期差圧信号と許容値の加算値より大きいときには以後前記演算回路から出力される差圧信号と前記初期差圧信号の比較結果に応じてファン機構の回転数を制御するところに特徴を有している。
上記手段によれば、ダンパが全閉された非通風状態で演算回路から出力される差圧信号をゼロ点としてダンパが全開された通風状態で演算回路から出力される差圧信号を補正できる。このため、演算回路から出力される差圧信号が周囲温度の影響および経年変化の影響でドリフトしても、本体枠内の風量が正確に検出される。
上記手段によれば、非通風状態での最新の差圧信号に基づいて通風状態での差圧信号を補正できるので、本体枠内の風量が一層正確に検出される。
上記手段によれば、例えば本体枠内の風量が多い場合には、ファン機構を停止させ且つダンパ機構を開放し、室内の空気を自然排気できる。このため、ファン機構を常時作動させる必要がなくなるので、電力消費量が低減される。
【０００７】
上記手段によれば、通風状態での差圧信号が大きく、演算回路に非通風状態で風が流れる虞れがある（非通風状態での差圧信号に誤差が生じる虞れがある）場合には、非通風状態での差圧信号が更新されない。このため、誤差を含んだ差圧信号が補正に用いられることが防止されるので、本体枠内の風量が一層正確に検出される。しかも、非通風状態での誤差を含まない最新の差圧信号に基づいて通風状態での差圧信号を補正できるので、本体枠内の風量が一層正確に検出される。
【０００９】
上記手段によれば、非通風状態での差圧信号に上述の誤差が含まれている場合には、演算回路から出力される差圧信号と記憶手段の初期差圧信号に許容値を加えた値との差が所定値以上になり、演算回路から出力される差圧信号が無効化される。このため、誤差を含んだ差圧信号が補正に用いられることが防止されるので、本体枠内の風量が一層正確に検出される。
【００１０】
請求項２に記載の通風装置は、前記制御装置はテストモードが設定されているときには前記ファン機構のオン状態で前記ダンパを全閉し、前記ファン機構のオン状態で前記ダンパを全閉したときに前記演算回路から出力される差圧信号と前記ファン機構のオン状態で前記ダンパを全開したときに前記演算回路から出力される差圧信号との差を予め記憶された判定値と比較することに基づいて異常の有無を検出するところに特徴を有している。
上記手段によれば、例えば演算回路の非通風状態での差圧信号と通風状態での差圧信号との差が小さいことに基づいて、ダンパ機構の動作不良を検出できる。しかも、通風状態での差圧信号をファン機構の作動時に検出するので、通風状態での差圧信号と非通風状態での差圧信号との差が大きくなり、ダンパ機構の動作不良を判別し易くなる。
【００１４】
【発明の実施の形態】
以下、本発明の第１実施例を図１ないし図６に基づいて説明する。まず、図６において、家屋１には左室２，ホール３，右室４が設けられており、天井板５には、図２に示すように、ホール３の上方に位置して開口部５ａが形成され、開口部５ａ内にはホール３側から本体枠６が挿着さている。この本体枠６は筒状をなすものであり、本体枠６の下面には孔状の主吸気口６ａが設けられ、上面には孔状の排気口６ｂが形成されている。
【００１５】
本体枠６の下端部には化粧パネル７が着脱可能に装着されている。この化粧パネル７は本体枠６の主吸気口６ａをホール３側から覆うものであり、化粧パネル７の周縁部には矩形枠孔状の吸気用開口部７ａが形成されている。尚、符号８は、本体枠６が配設された天井裏を示すものである。
【００１６】
本体枠６内には仕切板９が配設されている。この仕切板９は本体枠６内をファン収納室１０および吸気室１１に区画するものであり、仕切板９の略中央部には筒状の通風路９ａが一体形成され、通風路９ａ内にはダンパ１２が軸１２ａを中心に回動可能に収納されている。
【００１７】
通風路９ａの外面にはダンパモータ１３が固定されている。このダンパモータ１３の回転軸（図示せず）にはダンパ１２の軸１２ａが連結されており、ダンパモータ１３が作動すると、ダンパ１２が軸１２ａを中心に回動する。尚、符号１４はダンパ１２およびダンパモータ１３から構成されたダンパ機構（通風制御機構に相当する）を示している。
【００１８】
本体枠６の下端部には孔状の補助吸気口６ｃ，６ｃが形成されている。これら各補助吸気口６ｃの周縁部には筒状の吸気口体１５が固定されており、各吸気口体１５の外周面には吸気ダクト１６の一端部が接続されている。また、天井板５には２個の開口部５ｂが形成されている。このうち一方の開口部５ｂは左室２の上方に位置し、他方の開口部５ｂは右室４の上方に位置しており、各吸気ダクト１６の他端部は開口部５ｂ内に挿入されている。尚、各吸気ダクト１６はフレキシブルダクトから構成されたものである。
【００１９】
天井板５には、左室２内および右室４内に位置して吸気グリル１７が着脱可能に装着されている。これら各吸気グリル１７は周縁部に矩形枠孔状の吸気用開口部１７ａを有するものであり、一方の吸気グリル１７は一方の吸気ダクト１６を左室２側から覆い、他方の吸気グリル１７は他方の吸気ダクト１６を右室４側から覆っている。
【００２０】
ファン収納室１０内にはモータ取付台１８ｂが配設されており、モータ取付台１８ｂにはファンモータ１８が固定されている。このファンモータ１８の回転軸１８ａにはシロッコファン１９が固定されており、ファンモータ１８が作動すると、シロッコファン１９が回転する。尚、符号２０はファンモータ１８およびシロッコファン１９から構成されたファン機構（風量制御機構に相当する）を示している。
【００２１】
ファン収納室１０内には、ファン１９を囲うファンケーシング２１が配設されており、通風路９ａの開放状態でファン１９が回転すると、ホール３内の空気が化粧パネル７の吸気用開口部７ａから本体枠６の主吸気口６ａを通して吸気室１１内，通風路９ａ内，ファンケーシング２１内に吸引される。これと共に、左室２内の空気および右室４内の空気が吸気グリル１７の吸気用開口部１７ａから吸気ダクト１６，本体枠６の補助吸気口６ｃを通して吸気室１１内，通風路９ａ内，ファンケーシング２１内に吸引される。
【００２２】
本体枠６の上面には、排気口６ｂの周縁部に位置して筒状の排気口体２２が固定されている。この排気口体２２の外周面には排気ダクト２３の下端部が接続されており、排気ダクト２３の上端部には、図６に示すように、排気搭２４が装着されている。この排気ダクト２３はフレキシブルダクトからなるものであり、ファンケーシング２１内に吸引された空気は、本体枠６の排気口６ｂから排気ダクト２３および排気搭２４を通して屋外へ排出される。尚、図６の矢印は風の流れを示している。
【００２３】
仕切板９には、図３に示すように、第１の差込口９ｂが一体形成されている。この差込口９ｂは筒状をなすものであり、差込口９ｂの下端部は吸気室１１内に位置し、上端部はファン収納室１０内に位置している。また、通風路９ａには第２の差込口９ｃが一体形成されている。この差込口９ｃは筒状をなすものであり、差込口９ｃの左端部は通風路９ａ内に位置し、右端部はファン収納室１０内に位置している。
【００２４】
第１の差込口９ｂの上端部には第１のエアチューブ２５の下端部が接続され、第２の差込口９ｃの右端部には第２のエアチューブ２６の左端部が接続されている。また、ファン収納室１０内には差圧センサ２７が配設されている。この差圧センサ２７は風量検出手段に相当するものであり、第１のエアチューブ２５の上端部および第２のエアチューブ２６の右端部は共に差圧センサ２７に接続されている。
【００２５】
差圧センサ２７は、図４に示すように、第１の圧力センサ２７ａ，第２の圧力センサ２７ｂ，演算回路２７ｃを主体に構成されたものであり、第１の圧力センサ２７ａは吸気室１１の内圧を第１のエアチューブ２５を通して検出し、検出圧力に応じた電圧レベルの圧力信号を出力する。また、第２の圧力センサ２７ｂは通風路９ａの内圧を第２のエアチューブ２６を通して検出し、検出圧力に応じた電圧レベルの圧力信号を出力する。
【００２６】
演算回路２７ｃは第１の圧力センサ２７ａおよび第２の圧力センサ２７ｂの出力側に電気的に接続されたものであり、第１の圧力センサ２７ａからの圧力信号と第２の圧力センサ２７ｂからの圧力信号との差に応じた電圧レベルの差圧信号「Ｖ」を出力する。尚、第１の差圧センサ２７ａおよび第２の差圧センサ２７ｂは半導体圧力センサからなるものである。
【００２７】
ファン収納室１０内には、図２に示すように、回路ボックス２８が配設されており、回路ボックス２８内には、図４に示すように、補正手段に相当する制御装置２９が収納されている。この制御装置２９はＣＰＵ２９ａ，記憶手段に相当するＲＯＭ２９ｂ，記憶手段に相当するＥＥＰＲＯＭ２９ｃ，ＲＡＭ２９ｄ，入力インターフェース２９ｅ，出力インターフェース２９ｆ等を備えたものであり（マイクロコンピュータを主体に構成されたものであり）、通風路９ａの内圧と吸気室１１の内圧との差圧「Ｐ」を差圧センサ２７の差圧信号「Ｖ」に基づいて演算する。
【００２８】
ダンパモータ１３はダンパモータ駆動回路３０を介して制御装置２９の出力インターフェース２９ｆに接続されており、制御装置２９は、ダンパモータ駆動回路３０を通してダンパモータ１３を位置制御することに伴い、ダンパ１２を図３に実線で示す全開位置（９０°の回動位置）および二点鎖線で示す全閉位置（０°の回動位置）間で回動させ、通風路９ａを開閉する。
【００２９】
ファンモータ１８は、図４に示すように、ファンモータ駆動回路３１を介して制御装置２９の出力インターフェース２９ｆに接続されており、制御装置２９は、ファンモータ駆動回路３１を通してファンモータ１８を駆動制御することに伴い、ファン１９の回転速度を「強」，「中」，「弱」の３段階で調節する。
【００３０】
制御装置２９の入力インターフェース２９ｅにはテストスイッチ３２が接続されており、制御装置２９は、テストスイッチ３２の操作を検出することに基づいてテストモードを設定し、ダンパ機構１４が正常に動作しているかをテストする。また、制御装置２９の出力インターフェース２９ｆにはＬＥＤ駆動回路３３を介してＬＥＤ３４が接続されている。このＬＥＤ３４は報知手段に相当するものであり、制御装置２９は、ダンパ機構１４のテスト結果が異常である場合にＬＥＤ３４を点灯させ、使用者に異常を報知する。
【００３１】
次に上記構成の作用について説明する。尚、下記動作は、制御装置２９がＲＯＭ２９ｂに予め記憶された運転制御プログラムに基づいて実行するものであり、ＥＥＰＲＯＭ２９ｃは差圧センサ２７のゼロ点データの保管場所として機能し、ＲＡＭ２９ｄはワークエリアとして機能する。
【００３２】
制御装置２９は、電源が投入されると、図１のステップＳ１へ移行し、ＲＯＭ２９ｂから初期差圧信号「Ｖａ」を読出してＲＡＭ２９ｄに書込む。そして、ステップＳ２へ移行し、ＲＯＭ２９ｂから傾きデータ「ｋ」を読出してＲＡＭ２９ｄに書込む。これら初期差圧信号「Ｖａ」および傾きデータ「ｋ」はＲＯＭ２９ｂに予め記憶されたものであり、初期差圧信号「Ｖａ」は、温度の影響や経年変化の影響を受けていない初期に差圧センサ２７から出力されるものである。
【００３３】
傾きデータ「ｋ」は、図５に示すように、「差圧センサ２７の差圧信号Ｖ／通風路９ａの内圧および吸気室１１の内圧間の差圧Ｐ（単位はｍｍＨ2 Ｏ）」を実験的に求めたものであり、制御装置２９は、傾きデータ「ｋ」を読込むと、図１のステップＳ３へ移行する。
【００３４】
制御装置２９は、ステップＳ３へ移行すると、ファンモータ１８をオフしてステップＳ４へ移行する。そして、ダンパモータ１３を駆動制御し、図３に二点鎖線で示すように、ダンパ１２を全閉状態にした後、図１のステップＳ５へ移行する。
【００３５】
制御装置２９は、ステップＳ５へ移行すると、差圧センサ２７の差圧信号「Ｖ」を検出してＲＡＭ２９ｄに書込む。そして、ステップＳ６へ移行し、ステップＳ５で検出した差圧信号「Ｖ」を「Ｖａ＋ΔＶａ」と比較する。尚、「ΔＶａ」はＲＯＭ２９ｂに予め記憶されたものであり、初期差圧信号「Ｖａ」の許容値を示している。
【００３６】
制御装置２９は、ステップＳ６で「Ｖ≦Ｖａ＋ΔＶａ」を検出すると、ステップＳ７へ移行する。そして、「差圧信号Ｖ→Ｖ0 」を実行してＥＥＰＲＯＭ２９ｃに書込んだ後、ステップＳ８へ移行する。また、ステップＳ６で「Ｖ＞Ｖａ＋ΔＶａ」を検出すると、ステップＳ９へ移行し、「初期差圧信号Ｖａ→Ｖ0 」を実行してＥＥＰＲＯＭ２９ｃに書込んだ後、ステップＳ８へ移行する。
【００３７】
制御装置２９は、ステップＳ８へ移行すると、ダンパモータ１３を駆動制御し、図３に実線で示すように、ダンパ１２を全開状態に回動させる。そして、図１のステップＳ１０へ移行し、ファンモータ１８に電源を与え、ファン１９を速度「中」で回転させる。すると、左室２，ホール３，右室４内の空気が通風路９ａから排気ダクト２４を通して屋外へ排出され、強制換気運転が開始される。
【００３８】
制御装置２９は、強制換気運転を開始すると、ステップＳ１１へ移行して差圧センサ２７の差圧信号「Ｖ」を検出する。そして、ステップＳ１２へ移行し、「差圧信号Ｖ→Ｖ1 」を実行する。この後、ステップＳ１３へ移行して「Ｖ1 −Ｖ0 →Ｖ2 」を実行し、ステップＳ１４へ移行する。ここで、「ｋ×Ｖ2 →Ｐ（ｍｍＨ2 Ｏ）」を演算することに伴い、電圧上昇量「Ｖ2 」を圧力上昇量「Ｐ」に換算し、ステップＳ１５へ移行する。
【００３９】
制御装置２９は、ステップＳ１５へ移行すると、「Ｐｃ−ΔＰｃ≦Ｐ≦Ｐｃ＋ΔＰｃ」を判断する。この「Ｐｃ」はＲＯＭ２９ｂに予め記憶された圧力目標値、「ΔＰｃ」は圧力目標値の許容量であり、制御装置２９は、ステップＳ１５で「Ｐｃ−ΔＰｃ≦Ｐ≦Ｐｃ＋ΔＰｃ」を検出すると、排気風量が適切値であると判断し、ステップ１６へ移行する。
【００４０】
制御装置２９は、ステップＳ１５で「ＮＯ」と判断すると、ステップＳ１７へ移行する。ここで、「Ｐｃ−ΔＰｃ＞Ｐ」を検出すると、ステップＳ１８へ移行し、ファンモータ１８の回転速度を「早」に切換える。そして、排気風量を増やした後、ステップＳ１６へ移行する。また、ステップＳ１７で「ＮＯ」と判断すると、ステップＳ１９へ移行する。そして、ファンモータ１８の回転速度を「遅」に切換え、排気量を減らした後、ステップ１６へ移行する。
【００４１】
制御装置２９は、ステップＳ１６へ移行すると、ステップＳ１０でファンモータ１８をオンしてから時間「Ｔ（例えば４時間）」が経過したかを判断する。この時間「Ｔ」はＲＯＭ２８ｂに予め記憶されたものであり、制御装置２９は、時間「Ｔ」が経過していないと判断すると、ステップＳ２０へ移行し、テストモードが設定されているかを判断する。
【００４２】
テストモードは、制御装置２９が割込みルーチンでテストスイッチ３２の操作を検出することに基づいて設定するものであり、制御装置２９は、ステップＳ２０でテストモードが設定されていないと判断すると、ステップＳ１１に復帰し、ステップＳ１１〜Ｓ２０を繰返す。そして、差圧センサ２７の差圧信号「Ｖ」に基づいて差圧「Ｐ」を検出し、差圧「Ｐ」と目標値「Ｐｃ」との比較結果に応じてファンモータ１８を駆動制御する。
【００４３】
制御装置２９は、ステップＳ２０でテストモードの設定を検出すると、ステップＳ２１へ移行してダンパ１２を全閉状態に回動させる。そして、ステップＳ２２へ移行し、差圧センサ２７の差圧信号「Ｖ」を検出し、ステップＳ２３へ移行する。ここで、「差圧信号Ｖ→Ｖｔ」を実行した後、ステップＳ２４へ移行し、「Ｖ1 −Ｖｔ＞Ｖ3 」を判断する。尚、「Ｖ3 」はＲＯＭ２８ｂに予め記憶された判定値である。
【００４４】
制御装置２９は、ステップＳ２４で「Ｖ1 −Ｖｔ＞Ｖ3 」を検出すると、ダンパ１２の開閉が正常に行われていると判断し、ステップＳ２５へ移行する。そして、テストモードの設定を解除し、ステップＳ１１に復帰する。また、ステップＳ２４で「Ｖ1 −Ｖｔ≦Ｖ3 」を検出すると、ダンパ１２の開閉が正常に行われていないと判断し、ステップＳ２６へ移行する。ここで、テストモードの設定を解除して異常モードを設定した後、ステップＳ２７へ移行してＬＥＤ３４を点灯させ、ステップＳ１１に復帰する。
【００４５】
制御装置２９は、ステップＳ１６で時間「Ｔ」が経過したことを検出すると、ステップＳ２８へ移行し、「Ｐ＞Ｐｄ」を判断する。この「Ｐｄ」はＲＯＭ２８ｂに予め記憶された判定値であり、制御装置２９は、「Ｐ＞Ｐｄ」を検出すると、ステップＳ２０へ移行し、テストモードが設定されているかを検出する。ここで「ＹＥＳ」と判断すると、ステップＳ２１〜Ｓ２４を実行し、異常を検出すると、ステップＳ２７でＬＥＤ３４を点灯させる。
【００４６】
制御装置２９は、ステップＳ２８で「Ｐ≦Ｐｄ」を検出すると、ステップＳ３に復帰してファンモータ１８をオフし、ステップＳ４へ移行してダンパ１２を全閉状態に回動させる。この後、ステップＳ５に移行して差圧センサ２７の差圧信号「Ｖ」を検出し、ステップＳ６の比較結果に応じてステップＳ７の「差圧信号Ｖ→Ｖ0 」を選択的に実行する。
【００４７】
図５のαは初期の差圧信号「Ｖ」の変化，βおよびγは差圧センサ２７が経年変化したり、周囲温度の影響を受けたときの差圧信号「Ｖ」の変化を実験的に示すものであり、差圧信号「Ｖ」は経年変化等の影響でＶ軸に沿って平行移動する。これに対して上記実施例では、差圧センサ２７の通風状態での差圧信号「Ｖ」から非通風状態での「Ｖ」を減算し、通風状態での差圧信号「Ｖ」を補正したので（ステップＳ１３）、差圧センサ２７の周囲温度および経年変化に影響されることなく、通風路９ａ内の風量（差圧「Ｐ」）が正確に検出される。
【００４８】
尚、差圧センサ２７の通風状態での差圧信号「Ｖ」は、ダンパ１２の全開時に差圧センサ２７から出力される差圧信号「Ｖ」を称している。また、差圧センサ２７の非通風状態での差圧信号「Ｖ」はダンパ１２の全閉時に差圧センサ２７から出力される差圧信号「Ｖ」を称している。
【００４９】
また、差圧センサ２７の非通風状態での差圧信号「Ｖ」を検出する際にファン１９を非回転状態にした（ステップＳ３）。このため、強制排気流を含んだ差圧信号「Ｖ」が補正に用いられることが防止されるので、通風路９ａ内の風量が一層正確に検出される。
【００５０】
また、差圧センサ２７の非通風状態での差圧信号「Ｖ」を所定時間「Ｔ」毎に更新した。このため、非通風状態での最新の差圧信号「Ｖ」に基づいて通風状態での差圧信号「Ｖ」を補正できるので、この点からも、通風路９ａ内の風量が一層正確に検出される。
【００５１】
また、左室２，ホール３，右室４の内外の圧力差が大きく、通風路９ａの開放時の差圧「Ｐ」が所定値を上回る場合には、ファン１９が回転停止し且つダンパ１２が閉塞されていても通風路９ａの内周面とダンパ１２との間から空気漏れが生じる虞れがある。これに対して上記実施例では、差圧センサ２７の通風状態での差圧「Ｐ」が所定値「Ｐｄ」以下である場合にのみ（ステップＳ２８）、非通風状態での差圧信号「Ｖ」を更新した。このため、上述の空気漏れを含んだ差圧信号「Ｖ」が補正に用いられることが防止されるので、この点からも、通風路９ａ内の風量が一層正確に検出される。
【００５２】
また、差圧センサ２７の非通風状態での差圧信号「Ｖ」とＲＯＭ２９ｂの初期出力信号「Ｖａ」との差が所定値以上である場合に非通風状態での差圧信号「Ｖ」を無効化した（ステップＳ６およびＳ９）。このため、上述の空気漏れが差圧信号「Ｖ」に含まれている場合には差圧信号「Ｖ」と初期出力信号「Ｖａ」との差が所定値以上になり、差圧信号「Ｖ」が補正に用いられることが防止されるので、この点からも、通風路９ａ内の風量が一層正確に検出される。
【００５３】
また、差圧センサ２７の非通風状態での差圧信号「Ｖ」と通風状態での差圧信号「Ｖ」とを比較したので（ステップＳ２４）、両者の差が小さいことに基づいてダンパ機構１４の動作不良を検出できる。しかも、強制換気状態での差圧信号「Ｖ」をダンパ機構１４の動作不良検出に使用した。このため、通風状態での差圧信号「Ｖ」と非通風状態での差圧信号「Ｖ」との差が大きくなるので、ダンパ機構１４の動作不良および正常動作を判別し易くなる。
【００５４】
また、ＬＥＤ３４を点灯させることに基づいてダンパ機構１４の動作不良を報知したので、使用者がダンパ機構１４を交換したり、修理したりする等の異常処置を行うことができる。
【００５５】
尚、上記第１実施例においては、差圧センサ２７の非通風状態での差圧信号「Ｖ」をＲＯＭ２９ｂの初期出力信号「Ｖａ」と比較したが、これに限定されるものではなく、例えば非通風状態での差圧信号「Ｖ」を前回の非通風状態での差圧信号「Ｖ」と比較しても良い。この場合、両差圧信号「Ｖ」の差が所定値以上であることが１回あるいは複数回続いたときには、最新の差圧信号「Ｖ」に基づくゼロ点の書換え（「差圧信号Ｖ→Ｖ0 」）を行わないようにすると良い。
【００５６】
また、上記第１実施例においては、差圧センサ２７の初期出力信号「Ｖａ」を予めＲＯＭ２９ｂに記憶しておく構成としたが、これに限定されるものではなく、例えばＥＥＰＲＯＭ２９ｃに予め記憶しておく構成としても良い。
【００５７】
次に本発明の第２実施例を図７に基づいて説明する。制御装置２９は、電源が投入されると、ステップＳ３１へ移行し、ダンパ１２を全閉状態に回動させ、通風路９ａを閉塞する。そして、ステップＳ３２へ移行して差圧センサ２７の差圧信号「Ｖ」を検出した後、ステップＳ３３へ移行し、「差圧信号Ｖ→Ｖ0 」を実行してＥＥＰＲＯＭ２９ｃに書込み、ステップＳ３４へ移行する。
【００５８】
制御装置２９は、ステップＳ３４へ移行すると、ダンパ１２を全開位置に回動させ、ステップＳ３５へ移行する。すると、左室２，ホール３，右室４内の空気が内外の圧力差で通風路９ａ内，ファンケーシング２１内，排気ダクト２３を通して屋外へ排出され、自然換気運転が開始される。
【００５９】
制御装置２９は、ステップＳ３５へ移行すると、差圧センサ２７の差圧信号「Ｖ」を検出してステップＳ３６へ移行し、「差圧信号Ｖ→Ｖ1 」を実行した後、ステップＳ３７へ移行する。ここで、「Ｖ1 −Ｖ0 →Ｖ2 」を実行してステップＳ３８へ移行し、「Ｖｄ−ΔＶｄ≦Ｖ2 ≦Ｖｄ＋ΔＶｄ」を判断する。この「Ｖｄ」はＲＯＭ２８ｂに予め記憶された目標値、「ΔＶｄ」は「Ｖｄ」の許容値であり、制御装置２９は、ステップＳ３８で「Ｖｄ−ΔＶｄ≦Ｖ2 ≦Ｖｄ＋ΔＶｄ」を検出すると、自然排気量が適切値であると判断してステップ３９へ移行する。
【００６０】
制御装置２９は、ステップＳ３８で「ＮＯ」と判断すると、ステップＳ４０へ移行する。ここで、「Ｖｄ−ΔＶｄ＞Ｖ2 」を検出すると、ステップＳ４１へ移行してファンモータ１８に電源を与える。そして、ファン１９を回転させ、左室２，ホール３，右室４内の空気を強制的に排出し、排気風量を増やす。また、ステップＳ４０で「Ｖｄ＋ΔＶｄ＜Ｖ2 」を検出すると、「ＮＯ」と判断してステップＳ４２へ移行する。ここで、ダンパ１２を所定量（例えば１５°）回動させ、通風路９ａの開口量を減少させる。そして、排気風量を減らした後、ステップＳ３９へ移行する。
【００６１】
制御装置２９は、ステップＳ３９へ移行すると、ステップＳ３４でダンパ１２を全開してから時間「Ｔ」が経過したかを判断する。ここで、「ＮＯ」と判断すると、ステップＳ３４に復帰し、ステップＳ３４〜Ｓ４２を繰返す。そして、差圧センサ２７の差圧信号「Ｖ」と目標値「Ｖｄ」との比較結果に応じて風量を調節する。
【００６２】
制御装置２９は、ステップＳ３９で時間「Ｔ」の経過を検出すると、ステップＳ４３へ移行し、ダンパ１２を全閉状態に回動させる。そして、ステップＳ４４へ移行して差圧センサ２７の差圧信号「Ｖ」を検出し、ステップＳ４５へ移行する。
【００６３】
制御装置２９は、ステップＳ４５へ移行すると、「差圧信号Ｖ→Ｖｚ」を実行してＥＥＰＲＭ２９ｃに書込んだ後、ステップＳ４６へ移行し、「Ｖ2 −Ｖｚ＜Ｖｆ」を判断する。この「Ｖｆ」はＲＯＭ２９ｂに予め記憶された判定値であり、制御装置２９は、ステップＳ４６で「Ｖ2 −Ｖｚ≧Ｖｆ」を検出すると、ダンパ１２の開閉が正常に行われていると判断し、ステップＳ３４に復帰する。また、ステップＳ４６で「Ｖ2 −Ｖｚ＜Ｖｆ」を検出すると、ステップＳ４７へ移行する。
【００６４】
制御装置２９は、ステップＳ４７へ移行すると、「Ｖ2 ＞Ｖｅ」を判断する。この「Ｖｅ」はＲＯＭ２９ｂに予め記憶された判定値であり、制御装置２９は、「Ｖ2 ≦Ｖｅ」を検出すると、ステップＳ３４に復帰する。また、ステップＳ４７で「Ｖ2 ＞Ｖｅ」を検出すると、ステップＳ４８へ移行してＬＥＤ３４を点灯させ、ダンパ１２の開閉が正常に行われていないことを報知し、ステップＳ３４に復帰する。
【００６５】
上記実施例によれば、差圧センサ２７の通風状態での差圧信号「Ｖ」と判定値「Ｖｅ」とを比較した（ステップＳ４７）。このため、通風状態での風量が微小で非通風状態での差圧信号「Ｖ」と通風状態での差圧信号「Ｖ」との差が小さい場合に、ダンパ機構１４の動作不良がステップＳ４６で誤検出されることが防止される。
【００６６】
また、通風路９ａ内の風量が多い場合には、ファン機構２０を停止させ且つダンパ機構１４を開放し、室内の空気を自然排気した。このため、ファン機構２０を常時作動させる必要がなくなるので、電力消費量が低減される。尚、図１の符号３６は、ダンパ機構１およびファン機構２０から構成された風量制御機構を示している。
【００６７】
次に本発明の第３実施例を図８に基づいて説明する。通風路９ａの内周面には突板状のストッパ９ｄが一体形成されており、ダンパ１２は、ストッパ９ｄに接触することに基づいて全閉状態に保持される。このため、通風路９ａおよびダンパ１２の加工精度に注意を払うことなく、差圧センサ２７のゼロ点の更新に支障を来すような空気漏れが通風路９ａおよびダンパ１２間から生じることが防止される。
【００６８】
次に本発明の第４実施例を図９に基づいて説明する。通風路９ａ内には仕切板９ｅが配設されている。この仕切板９ｅは、通風路９ａ内に別の通風路９ｆを区画形成するものであり、通風路９ｆ内にはダンパ１２が軸１２ａを中心に回動可能に収納され、ダンパ１２の軸１２ａはダンパモータ１３の回転軸に連結されている。
【００６９】
制御装置２９は、差圧センサ２７の差圧信号「Ｖ」に基づいて図１の運転制御プログラムを実行する。この差圧信号「Ｖ」は通風路９ｆの内圧と吸気室１１の内圧との差を示すものであり、左室２，ホール３，右室４内の空気は通風路９ａを通して屋外へ強制的に排出される。
【００７０】
次に本発明の第５実施例を図１０に基づいて説明する。通風路９ａの周壁には風量センサに相当するサーミスタ風速センサ３５が固定されている。この風速センサ３５は通風路９ａ内の風量に応じて表面の放熱量が変化するサーミスタの特性を利用したものであり、通風路９ａ内の風量に応じた電圧レベルの風量信号「Ｖ」を出力する。
【００７１】
上記実施例によれば、制御装置２９は、風速センサ３５の風量信号「Ｖ」を用いて図１の運転制御プログラムあるいは図２の運転制御プログラムを実行し、左室２，ホール３，右室４内の空気を通風路９ａから強制排気したり、自然排気する。
【００７２】
尚、上記第１〜第５実施例においては、ダンパ機構１４の異常検出に伴いＬＥＤ３４を点灯させたが、これに限定されるものではなく、例えば表示装置に異常メッセージを表示したり、ブザーを鳴動させても良い。
また、上記第１〜第５実施例においては、内気を屋外へ排出する換気装置に本発明を適用したが、これに限定されるものではなく、例えば、室内の空気を別の室内へ送風する送風装置や外気を室内に吸引する吸気装置に本発明を適用しても良い。
【００７３】
【発明の効果】
以上の説明から明らかなように、本発明の通風装置は次の効果を奏する。
請求項１に記載の手段によれば、演算回路の通風状態での差圧信号を非通風状態での差圧信号に基づいて補正したので、演算回路の差圧信号が周囲温度の影響および経年変化の影響でドリフトしても、風量が正確に検出される。
請求項１に記載の手段によれば、風量の検出結果に基づいてファン機構およびダンパ機構を駆動制御したので、風量が多い場合にはファン機構を停止させ且つダンパ機構を開放し、室内の空気を自然排気できる。このため、ファン機構を常時作動させる必要がなくなるので、電力消費量が低減される。
【００７４】
請求項１に記載の手段によれば、演算回路の通風状態での差圧信号が所定値以下である場合に非通風状態での差圧信号を更新した。このため、空気漏れを含んだ差圧信号が補正に用いられることが防止されるので、風量が一層正確に検出される。
【００７５】
請求項１に記載の手段によれば、演算回路の通風状態での差圧信号が所定値以上である場合に非通風状態での差圧信号を更新しないようにした。このため、空気漏れを含まない最新の非通風状態での差圧信号に基づいて通風状態での差圧信号を補正できるので、風量が一層正確に検出される。
請求項１に記載の手段によれば、演算回路の非通風状態での差圧信号と初期差圧信号に許容値を加えた値との差に基づいて非通風状態での差圧信号を無効化した。このため、空気漏れを含んだ差圧信号が補正に用いられることが防止されるので、風量が一層正確に検出される。
【００７６】
請求項２に記載の手段によれば、演算回路の非通風状態での差圧信号と通風状態での差圧信号とを比較したので、ダンパ機構の動作不良を検出できる。しかも、強制通風時の差圧信号を用いたので、通風状態での差圧信号と非通風状態での差圧信号との差が大きくなり、ダンパ機構の動作不良を判別し易くなる。
【図面の簡単な説明】
【図１】本発明の第１実施例を示す図（制御装置の制御内容を示すフローチャート）
【図２】全体構成を示す断面図
【図３】通風路部分を拡大して示す断面図
【図４】電気的構成を概略的に示すブロック図
【図５】差圧センサからの出力信号を示す図
【図６】換気装置の設置状態を示す図
【図７】本発明の第２実施例を示す図（制御装置の制御内容を示すフローチャート）
【図８】本発明の第３実施例を示す図（通風路部分を拡大して示す断面図）
【図９】本発明の第４実施例を示す図（通風路部分を拡大して示す断面図）
【図１０】本発明の第５実施例を示す図（通風路部分を拡大して示す断面図）
【符号の説明】
６は本体枠、６ａは主吸気口（吸気口）、６ｂは排気口、６ｃは補助吸気口（吸気口）、９ａは通風路、１４はダンパ機構（通風制御機構）、２０はファン機構（風量制御機構）、２７は差圧センサ（風量検出手段）、２９は制御装置（補正手段）、２９ｂはＲＯＭ（記憶手段）、２９ｃはＥＥＰＲＯＭ（記憶手段）、３４はＬＥＤ（報知手段）、３５はサーミスタ風速センサ（風量検出手段）、３６は風量制御機構を示す。
【図１】
0003924377.tif 000002
【図２】
0003924377.tif 000003
【図３】
0003924377.tif 000004
【図４】
0003924377.tif 000005
【図５】
0003924377.tif 000006
【図６】
0003924377.tif 000007
【図７】
0003924377.tif 000008
【図８】
0003924377.tif 000009
【図９】
0003924377.tif 000010
【図１０】
0003924377.tif 000011